(57)【特許請求の範囲】
【請求項１】
無酸化乃至還元性ガスで満たされた炉内をコンベアで移送し、被処理物を順次予熱、加熱、冷却する予熱帯、加熱帯、冷却帯を設けた銅製品の連続熱処理装置において、上記冷却帯の前半部に間接水冷を行うための水冷ジャケットを設けると共に、後半部に直接水冷を行うための散水シャワーを設けて成ることを特徴とする銅製品の熱処理装置。
【請求項２】
被処理物を炉内の予熱帯、加熱帯及び冷却帯に順次通過させるコンベアを設け、加熱帯にはコンベアの下方の炉壁に複数のバ−ナを装着すると共に、各バーナ毎に耐火物より成り且つ随所に排気穴を有する箱状の燃焼室を形成し、各燃焼室内でバーナを低空気比で燃焼させて、発生した還元性ガスを上記排気穴から炉内へ排出せしめて成ることを特徴とする請求項１記載の銅製品の熱処理装置。
【請求項３】
上記燃焼室内のバーナの正面に、バーナ火炎が衝突する耐火物ブロックを立設して成ることを特徴とする請求項２記載の銅製品の熱処理装置。
【請求項４】
上記加熱帯において、コンベアを取り巻くように、随所に通気穴を有する金属製のマッフル板を設けて成ることを特徴とする請求項２記載の銅製品の熱処理装置。
【請求項５】
上記マッフル板の適所に断熱材を施して、コンベア上の温度分布を均一化せしめて成ることを特徴とする請求項４記載の銅製品の熱処理装置。
【発明の詳細な説明】
【０００１】
【産業上の利用分野】
本発明は、銅製品の連続熱処理装置に関するものである。
【０００２】
【従来の技術】
図１は従来のこの種の熱処理装置を示したもので、メッシュベルトより成るコンベア２によって被処理物を予熱帯Ａ、加熱帯Ｂ、冷却帯Ｃを通って移送すると共に、熱処理炉１内の全通路Ａ，Ｂ，Ｃを還元性ガス発生装置１１で発生させた還元性ガスで満たして還元性雰囲気を形成していた。
【０００３】
【発明が解決しようとする課題】
しかしながら従来の熱処理装置は、銅製品の無酸化熱処理においても、冷却帯での冷却は一般の無酸化熱処理と同様に水冷ジャケットのみで行っていたため、冷却帯Ｃの長さが長いものであった。また、装置本体とは別個に設置した還元性ガス発生装置１１から冷却された還元性ガスをダクトにより送給し、熱処理装置においては電気ヒータ１２のような熱源を使用して加熱していたので、熱処理装置のほかに還元性ガス発生装置のための広い設置スペースが必要である上に、還元性ガス発生用と熱処理用の両熱源を必要とするために熱効率がきわめて悪いという問題があった。また従来は、還元性雰囲気による熱処理に直火式を用いることは困難とされており、熱源としてバーナを使用する場合にはラジアントチューブを用いて、雰囲気ガスには別途還元性ガス発生装置から還元性ガスを供給していた。本発明はかかる点に鑑み、コンパクトにすることを目的とし、また、熱処理炉の構造に改良を加えて、還元性ガス発生用の熱源と被処理物加熱用の熱源とを共通にすることを可能にし、コンパクトでしかも熱効率の高い銅製品の連続熱処理装置を実現したものである。
【０００４】
【課題を解決するための手段】
本発明による銅製品の熱処理装置は、無酸化乃至還元性ガスで満たされた炉１内をコンベア２で移送し、被処理物を順次予熱、加熱、冷却する予熱帯Ａ、加熱帯Ｂ、冷却帯Ｃを設けた銅製品の連続熱処理装置において、上記冷却帯Ｃの前半部に間接水冷を行うための水冷ジャケット９を設けると共に、後半部に直接水冷を行うための散水シャワー１０を設けたことで、冷却帯Ｃの長さを従来の約１／２に短縮することができて、装置の全長を短縮してコンパクトにすることができる。また、図２〜４に示すように、被処理物を炉１内の予熱帯Ａ、加熱帯Ｂ及び冷却帯Ｃに順次通過させるコンベア２を設け、加熱帯Ｂにはコンベア２の下方の炉壁に複数のバ−ナ４を装着すると共に、各バーナ３毎に耐火物より成り且つ随所に排気穴４を有する箱状の燃焼室５を形成し、各燃焼室５内でバーナ３を低空気比で燃焼させて、発生した還元性ガスを上記排気穴４から炉１内へ排出させるようにしたものであって、燃焼反応を狭い燃焼室５内に限定し、火炎の周囲の耐火物を赤熱させることにより、燃料を燃焼室５内でＨ２，ＣＯ及び少量のＣＯ２，Ｈ２Ｏ，Ｏ２等に完全に分解させ、炉１内にメタンガス等の未燃成分やすす等が排出されないようにし、それによって同一のバーナ３による実質的な還元性ガスの発生と被処理物の加熱を可能にした点に特徴を有するものである。なお請求項２のように、燃焼室５内のバーナ３の正面に、バーナの火炎が衝突する耐火物ブロック６を立設してやれば、この耐火物ブロック６が灼熱されることによって燃焼室５内を一層高温に維持すると共に、燃料と燃焼空気との混合を促進して、排気穴４から排出される還元性ガスの組成を均質化することができる。
【０００５】
【発明の実施の形態】
図２〜４は本発明による熱処理装置の一実施例を示したもので、熱処理炉１は予熱帯Ａ、加熱帯Ｂ及び冷却帯Ｃより成り、予熱帯Ａ及び加熱帯Ｂは耐火物で、冷却帯Ｃはステンレスで構成されている。炉１内には被処理物を連続的に移送する金属製のメッシュ状コンベア２が通っており、加熱帯Ｂの下部には耐火物よりなる天板と耐火物ブロックを積み重ねて構成した側壁とで複数の燃焼室５が形成されて、各燃焼室５内で炉壁に貫設されたバーナ３を低空気比で燃焼させ、発生した還元性ガスを各燃焼室５の随所に設けた排気穴４から炉１内へ排出させるようになっている。
【０００６】
上述のように炉１内に更に燃焼室５を設けて、バーナ３の燃焼を耐火物より成る燃焼室５内に限定したのは、この燃焼室５の壁面あるいは天井面を赤熱させて室内の温度を高温に維持し、この空間内でメタン等の未燃成分やすすをＨ２，ＣＯ等に完全に分解するためであり、このように還元性を有しない未燃成分が炉１内に排出されるのを防止することにより、炉内の雰囲気ガスを実質上還元性にして、銅製品の直火式熱処理を初めて可能にしたものである。また本実施例では図４に示すように、燃焼室５内のバーナ３の正面に、バーナの火炎が衝突する耐火物ブロック６を立設して、この耐火物ブロック６を灼熱させており、これによって燃焼室５内を一層高温に維持すると共に、燃料と燃焼空気との混合を促進して、排気穴４から排出される還元性ガスの組成をできるだけ均質化させている。なおバーナ３としては、いわゆるノズルミックス方式を採用し、均圧弁制御により空気比を厳密に制御して、すすの発生を未然に防止している。
【０００７】
また本実施例では図３に示すように、加熱帯Ｂの燃焼室５の上方において、コンベア２を取り巻くように随所に通気穴８を有する金属製のマッフル板７が設けられており、このマッフル板７によって雰囲気ガスの局所的な流れが直接被処理物に当たるのを防止し、コンベア２に達するまでに雰囲気ガスの組成ができるだけ均一になるようにしている。またこのマッフル板７は均熱板としての役目も果たしており、下方の燃焼室５との位置関係で特に高温となる個所には断熱材を貼り付けて、コンベア２上の温度分布を均一化している。
【０００８】
そして本実施例では、所定の箇所に鑞付け材料を載置又は取着した銅製品を被処理物としており、これをコンベア２によってトンネル状の炉１内の予熱帯Ａ、加熱帯Ｂ、冷却帯Ｃに連続的に通過させるようになっているが、冷却帯Ｃの前半部では水冷ジャケット９による間接冷却を行い、後半部では散水シャワー１０による直接水冷を行うようになっている。本実施例における各部の温度は、燃焼室内：１１００℃、加熱帯：８９０℃、水冷ジャケット部出口：６００℃である。従来は銅製品の無酸化熱処理においても、一般の無酸化熱処理と同様に水冷ジャケット９のみで冷却を行っていたが、銅製品は鉄などと異なり比較的高い温度でも酸化しないので、このように冷却帯Ｃの後半部でシャワー冷却を行うことができ、それによって冷却帯Ｃの長さを従来の約１／２に短縮することができたものである。
【０００９】
【発明の効果】
本発明による銅製品の熱処理炉は上述のように、銅製品の特性を生かして冷却帯Ｃの後半部をシャワー水冷とすることによって、冷却帯Ｃの長さを従来の約１／２に短縮することができて、装置の全長を短縮してコンパクトにすることができる。
【００１０】
また、加熱帯Ｂのコンベア２の下方において、各バ−ナ３毎に独立した燃焼室５を設けて、燃焼室５内を高温に維持し、還元性を有しない未燃成分の炉内への逸出を防止すると共に、できるだけ燃焼室５内で還元性ガスを均質化することにより、被処理炉内における同一の熱源による還元性ガスの供給と被処理物の加熱とを可能にし、装置を簡素化すると共に熱効率を向上することができた。
【図面の簡単な説明】
【図１】  従来例の縦断面図。
【図２】  本発明の一実施例を示す縦断面図。
【図３】  同上の要部斜視図。
【図４】  同上の要部横断面図。
【符号の説明】
１ 炉
２ コンベア
３ バーナ
４ 排気穴
５ 燃焼室
６ 耐火物ブロック
７ マッフル板
８ 通気穴
９ 水冷ジャケット
１０ 散水シャワー
１１ 還元性ガス発生装置
１２ 電気ヒータ
【図１】
0003839910.tif 000002
【図２】
0003839910.tif 000003
【図３】
0003839910.tif 000004
【図４】
0003839910.tif 000005